(57)【特許請求の範囲】
【請求項１】
ロール状に巻かれたロール紙を一端側から引き出して所定方向へ給紙する給紙部材と、引き出されたロール紙の上面を押下してロール紙に付いたカールを矯正するカール矯正部材と、装置本体上部に開閉可能かつ回動可能に設けられたカバー部材と、このカバー部材を回動させる回動力を受けて前記カール矯正部材をカール矯正位置から上方の待避位置へ移動させる駆動部材とを備え、この駆動部材として、前記カバー部材の回動軸に駆動ギヤを設け、かつ前記カール矯正部材の回動軸に前記駆動ギヤからの回動駆動力を受ける前記従動ギヤを設けてなるロール紙給紙装置において、
前記従動ギヤの側部に切欠部を有する環状作動部を形成し、前記カール矯正部材を前記切欠部の下部と上部間で回動可能に前記従動ギヤの回動軸に支持し、かつ前記カバー部材の回動力を受けて前記切欠部の上部または下部が前記カール矯正部材の一部と当接して回動させることにより、前記カール矯正部材を前記カール矯正位置と前記待避位置とに移動させる構成にしたことを特徴とするロール紙給紙装置。
【請求項２】
前記駆動ギヤまたは前記従動ギヤ、あるいは前記駆動ギヤと前記従動ギヤとの間に設けられて回転駆動力を伝達する中間ギヤのいずれかにトルクリミッタを設けたことを特徴とする請求項１記載のロール紙給紙装置。
【請求項３】
前記駆動ギヤと前記従動ギヤとをタイミングベルトにて連結して回転駆動力を伝達する構成にしたことを特徴とする請求項１または２記載のロール紙給紙装置。
【発明の詳細な説明】
【０００１】
【発明の属する技術分野】
本発明は、ファクシミリ装置，複写機，プリンタなどの画像記録装置において記録紙としてロール紙を用いるものに適用され、ロール紙から引き出した部分に付いたカール（巻癖）を矯正するカール矯正部材を備えたロール紙給紙装置に関する。
【０００２】
【従来の技術】
従来、ロール状に巻かれたロール紙を一端側から引き出して所定方向へ給紙するロール紙給紙装置では、所定の長さに引き出したロール紙部分をカットし、そのカット紙を給紙方向下流へと送る構成になっているが、カット紙にはロール状に巻かれていた状態のときの巻き癖によって、通常、カールが付いてしまっているため、そのままの状態で給紙すると途中において、ジャムなどの給紙上のトラブルを発生させる原因となる。
【０００３】
そこで、ロール紙から引き出された部分がカール方向とは反対方向へ曲がるように、引き出された部分の上面に当接して、その上面に対して押圧力を与えるデカール部材を設置し、記録紙のカールを矯正するカール矯正機構を備えた構成のロール紙給紙装置がある。
【０００４】
しかし、このような構成のロール紙給紙装置では、ロール紙を交換する場合、ユーザによって、所定位置に設置された新たなロール紙における引き出した部分をデカール部材の下側（押圧側）に通して、その引き出した部分をデカール部材が押圧してカール矯正動作状態になるようにセットする必要があるが、時として一般ユーザにあっては、ロール紙の引き出した部分をデカール部材の上に載せた誤セット状態で、そのまま給紙動作に入って給紙上のトラブルを発生させてしまうことがあった。
【０００５】
このため、本発明者は、ロール紙交換の際にロール紙から引き出した部分を正確に、かつ容易に所定の状態にセットすることができるようにした発明を、特願２０００−２８１１９７号として出願した。この発明は、ロール紙の交換時、デカール部材をカール矯正位置から待機位置にまで上昇させ、その位置で維持することができるようにしたものである。
【０００６】
【発明が解決しようとする課題】
しかし、特願２０００−２８１１９７号のロール紙給紙装置では、構成が簡単になるが、デカール部材におけるカール矯正位置から待機位置への移動量が小さく、このためロール紙の引き出した部分をデカール部材の上に載せてしまう誤セットを回避するには不充分であるという問題がある。
【０００７】
そこで、本願発明の目的は、前記従来の課題を解決し、ロール紙のカール矯正が良好に行われ、かつロール紙交換の際にロール紙を引き出した部分のセットが確実に行われるようにしたロール紙給紙装置を提供することにある。
【０００８】
【課題を解決するための手段】
前記目的を達成するため、請求項１に記載の発明は、ロール状に巻かれたロール紙を一端側から引き出して所定方向へ給紙する給紙部材と、引き出されたロール紙の上面を押下してロール紙に付いたカールを矯正するカール矯正部材と、装置本体上部に開閉可能かつ回動可能に設けられたカバー部材と、このカバー部材を回動させる回動力を受けて前記カール矯正部材をカール矯正位置から上方の待避位置へ移動させる駆動部材とを備え、この駆動部材として、前記カバー部材の回動軸に駆動ギヤを設け、かつ前記カール矯正部材の回動軸に前記駆動ギヤからの回動駆動力を受ける前記従動ギヤを設けてなるロール紙給紙装置において、前記従動ギヤの側部に切欠部を有する環状作動部を形成し、前記カール矯正部材を前記切欠部の下部と上部間で回動可能に前記従動ギヤの回動軸に支持し、かつ前記カバー部材の回動力を受けて前記切欠部の上部または下部が前記カール矯正部材の一部と当接して回動させることにより、前記カール矯正部材を前記カール矯正位置と前記待避位置とに移動させる構成にしたことを特徴とし、この構成によって、ロール紙を交換するときにカール矯正部材が、カバー部材の回動角度と同程度に回動して十分に上方の待機位置まで移動されるため、ロール紙から引き出した部分をカール矯正部材の下側にセットする際、カール矯正部材が邪魔にならずに正確かつ容易に行うことができ、ロール紙から引き出した部分をカール矯正部材の上側に誤セットしてしまうことを防ぐことができる。また、環状作動部における切欠部の設置状態によってカール矯正部材の回動条件を容易に設定することが可能になる。
【００１１】
請求項２に記載の発明は、請求項１記載のロール紙給紙装置において、駆動ギヤまたは従動ギヤ、あるいは駆動ギヤと従動ギヤとの間に設けられて回転駆動力を伝達する中間ギヤのいずれかにトルクリミッタを設けたことを特徴とし、この構成によって、回動トルクが規制されるため、カバー部材が急に回動することを防止することができる。
【００１３】
請求項３に記載の発明は、請求項１または２記載のカール紙給紙装置において、駆動ギヤと従動ギヤとをタイミングベルトにて連結して回転駆動力を伝達する構成にしたことを特徴とし、この構成によって、中間ギヤを使用することなく簡素化された比較的低コストの構造にすることができる。
【００１４】
【発明の実施の形態】
以下、本発明の好適な実施形態について図面を参照しながら説明する。
【００１５】
図１は本発明の実施形態を説明するためのロール紙給紙装置の要部の構成を示す斜視図であり、１は一側部分にロール紙２を設置する部分が設けられている箱状のフレーム、３はフレーム１内の給紙経路を横方向に跨ぐように設けられたデカールローラ、４はフレーム１の両側壁に形成された凹部１ａから外部に突出したデカールローラ３の両端部をそれぞれ一端部４ａで支持し、かつ他端部４ｂが後述するようにフレーム１に回動可能に設けられた一対（図１では一方のみを示す）のカール矯正用レバー、５は、ロール紙２の長手方向と平行に、長手方向が延在するようにフレーム１に設置されたピックアップローラ、６は、本例ではロール紙２の設置部分を除くフレーム１の上部を覆い、給紙方向ａ下流側の両端部がフレーム１に回動軸１５によって回動可能に軸支されるカバーであって、カバー６における給紙方向ａ上流側（ロール紙２のセット位置側）には、フレーム１に設置されたピックアップローラ５に圧接する加圧ローラ７が回動可能に支持されており、さらに給紙方向ａ下流側には、記録紙を搬送する搬送ローラ８が、フレーム１に設置された搬送ローラ９に接するように回動可能に支持されている。
【００１６】
図１において左側のフレーム１の側壁には、図２に拡大して示すように、一方のカール矯正用レバー４におけるデカールローラ３が設けられた一端部４ａとは反対側の他端部４ｂが、作動部付きギヤ１０の回動軸１１に回動可能に支持されている。作動部付きギヤ１０は、図３に示す斜視図のように、一側にギヤ部１０ａが形成され、他側に切欠部１２ａを有する環状作動部１２が形成され、カール矯正用レバー４が環状作動部１２の切欠部１２ａ部分に当接して回動駆動されるようになっている。
【００１７】
作動部付きギヤ１０におけるギヤ部１０ａは、図４に示すように、複数の中間ギヤからなるギヤ列１３を介して駆動ギヤ１４に連動して回動する従動ギヤである。このギヤ列１３のギヤ設置数などは仕様などによって適宜設定するが、駆動ギヤ１４と作動部付きギヤ１０とは同方向に回動するギヤ構成にする。駆動ギヤ１４は、カバー６の回動支点である回動軸１５に固定され、カバー６の回動に伴って回動するようになっており、駆動ギヤ１４，ギヤ列１３，作動部付きギヤ１０によりカール矯正用レバー４を回動駆動する駆動部材が構成される。
【００１８】
図５は本実施形態における給紙動作の説明図であり、給紙時には、ロール紙２から引き出された部分２ａは、実線で示すようにデカールローラ３の下を通り、ピックアップローラ５と加圧ローラ７のニップで挟持されながら、ピックアップローラ５，加圧ローラ７の回転によって給紙方向ａへ送られる。給紙時、引き出された部分２ａは、ロール紙２と、ピックアップローラ５および加圧ローラ７間のニップとによって張力が加えられつつ、デカールローラ３により押下されるため、ロール紙２における巻癖によるカールと逆方向への押圧力が加えられ、カールが除去されるように矯正作用を受ける。
【００１９】
ロール紙２を交換，セットするときには、図４に示すカール矯正用レバー４のデカールローラ３が下位位置にある状態から、カバー６を、回動軸１５を中心として時計方向へ回動させると駆動ギヤ１４も同じ時計方向へ回動し、ギヤ列１３を介してカバー６の回動駆動力が作動部付きギヤ１０のギヤ部１０ａに伝達され、作動部付きギヤ１０が時計方向へ回動する。この作動部付きギヤ１０の回動により、カール矯正用レバー４が環状作動部１２における切欠部１２ａの下部に当接して時計方向へ回動駆動され、図６に示すカバー６の全開状態でカール矯正用レバー４が略垂直の待機位置まで回動する。カール矯正用レバー４はストッパ１７がフレーム１の側壁に当接することによって待機位置に維持される。
【００２０】
カール矯正用レバー４が待機位置にある状態において、デカールローラ３も上方に移動しており、図５に二点鎖線にて示すように、ロール紙２から引き出した部分２ａをデカールローラ３の下を通して、ピックアップローラ５と加圧ローラ７のニップで挟持される位置に引き出した部分２ａの先端をセットする。このようにカール矯正用レバー４が起立状態で、かつデカールローラ３が上方の待機位置に明瞭に存在する状態でロール紙２のセットが行われるため、従来のようなロール紙２から引き出した部分２ａをデカールローラ３の上に位置させるような誤セットを防止することができる。
【００２１】
ロール紙２の前記セットが終了した後、図７に示すように、カバー６を閉じるように反時計方向へ回動させると、駆動ギヤ１４も反時計方向へ回動し、ギヤ列１３を介してカバー６の回動駆動力が作動部付きギヤ１０のギヤ部１０ａに伝達され、作動部付きギヤ１０が反時計方向へ回動する。この作動部付きギヤ１０の回動によりカール矯正用レバー４は、環状作動部１２における切欠部１２ａの上部（図７では右部に位置）に押されて反時計方向へ自重により回動して、切欠部１２ａの下部に当接して止まり、作動部付きギヤ１０の回動に伴って、所定の停止位置で停止することになる。
【００２２】
なお、作動部付きギヤ１０の環状作動部１２における切欠部１２ａの切欠寸法は、カール矯正用レバー４を回動させる角度に対応するため、カール矯正用レバー４の待機位置などに応じて適宜設定する。
【００２３】
また、駆動ギヤ１４または作動部付きギヤ１０、あるいはギヤ列１３のいずれかにトルクリミッタを設けて回動トルクを規制するようにすれば、カバー６が急に回動することによる問題、特にカバー閉鎖時の危険性をなくすことができる。
【００２４】
図８は本実施形態におけるカール矯正用レバーを回動駆動する駆動部材の他例の要部を示す斜視図であり、図８に示す駆動部材は、図４を参照して説明すると、駆動ギヤ１４と作動部付きギヤ１０のギヤ部１０ａ間における回動駆動力の伝達をタイミングベルト２１を用いて行う構成にしたものであって、回転駆動力伝達用のギア列１３をなくすことによってコストダウンを図ったものである。
【００２５】
なお、図８の例において、駆動ギヤ１４および作動部付きギヤ１０のギヤ部１０ａに代えて、回動軸１５に駆動プーリを設け、また回動軸１１に図３に示すような環状作動部１２付きの従動プーリを設けて、両プーリ間をベルトにて連結してカバー６の回転駆動力を伝達して環状作動部１２を回動させる構成にすることも考えられる。
【００２６】
【発明の効果】
以上説明したように、本発明によれば、ロール紙を交換するときに、カバー部材の開閉動作に伴ってカール矯正部材を、十分に上方の待機位置へ移動させることができるようになるため、ロール紙の引き出し部分のセットをカール矯正部材が邪魔にならずに正確に、かつ容易に行うことができるロール紙給紙装置が実現する。また、環状作動部における切欠部の設置状態によってカール矯正部材の回動条件を容易に設定することが可能になる。
【図面の簡単な説明】
【図１】本発明の実施形態を説明するためのロール紙給紙装置の要部の構成を示す斜視図
【図２】本発明の実施形態におけるカール矯正用レバーの設置部分を拡大して示す側面図
【図３】本発明の実施形態における作動部付きギヤを示す斜視図
【図４】本発明の実施形態における要部の動作を説明するための側面図
【図５】本発明の実施形態におけるロール紙セットおよび給紙動作の説明図
【図６】本発明の実施形態におけるカバー全開時の動作の説明図
【図７】本発明の実施形態におけるカバー閉鎖時の動作の説明図
【図８】本実施形態におけるカール矯正用レバーの駆動部材の他例を示す斜視図
【符号の説明】
１  フレーム
２  ロール紙
２ａ  ロール紙から引き出した部分
３  デカールローラ
４  カール矯正用レバー
６  カバー
１０  作動部付きギヤ
１０ａ  ギヤ部
１１，１５  回動軸
１２  環状作動部
１２ａ  切欠部
１３  ギヤ列
１４  駆動ギヤ
２１  タイミングベルト
【図１】
0004472214.tif 000002
【図２】
0004472214.tif 000003
【図３】
0004472214.tif 000004
【図４】
0004472214.tif 000005
【図５】
0004472214.tif 000006
【図６】
0004472214.tif 000007
【図７】
0004472214.tif 000008
【図８】
0004472214.tif 000009